【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
コンピュータにより実行される、オーディオ出力ファイルの生成方法であって、１つまたは複数のプロセッサ及びメモリを用いて、
オーディオ・トラックを受信するステップであって、各オーディオ・トラックは、テンポ、ジャンル及びハーモニック・マップ等のオーディオ・パラメータに従って作成されたオーディオ・コンテンツファイルである、ステップと、
各オーディオ・トラックを少なくとも１つの選択可能なオーディオ・ブロックに区分するステップであって、各オーディオ・ブロックが、前記オーディオ・トラックの作成に関連した楽器からのオーディオ・コンテンツを含む、ステップと、
固有識別子を各オーディオ・ブロックに割当てるステップと、
オーディオ・ブロックを選択するように前記固有識別子を使用するステップと、
前記選択されたオーディオ・ブロックを結合することにより、オーディオ出力ファイルを生成するステップ
を実行することを含み、
それによって、オーディオ・ブロックを選択するように前記固有識別子を使用するステップが、オーディオ・ブロックの組み合わせを選択することを含み、オーディオ・ブロックの組み合わせのための前記固有識別子が、記憶装置の記憶に発見されないとき、前記組合せが許容可能であることを示す、方法。
【請求項２】
オーディオ・ブロックを選択するように前記固有識別子を使用するステップが、オーディオ・ブロックの選択の前記固有識別子を、記憶装置内の記録と比較することを含み、前記固有識別子の組合せの記録が発見される場合には、オーディオ出力ファイルは生成されず、固有識別子の前記組合せの記録が発見されない場合には、前記選択されたオーディオ・ブロックは、オーディオ出力ファイルを生成するように結合される、請求項１に記載の方法。
【請求項３】
生成された前記オーディオ・ファイルの前記選択されたオーディオ・ブロックのための固有識別子の前記組合せの記録を、前記記憶装置に記憶するステップを含む、請求項１又は２に記載の方法。
【請求項４】
各オーディオ・ブロックが、単一の楽器からのオーディオ・コンテンツを含む、請求項１〜３のいずれか一項に記載の方法。
【請求項５】
前記オーディオ出力ファイルの生成に使用するために同一のオーディオ・パラメータを有するオーディオ・ブロックを選択するステップを含み、各オーディオ・ブロックが、前記オーディオ・ブロックが区分される前記オーディオ・トラックに応じたオーディオ・パラメータを有する、請求項１〜４のいずれか一項に記載の方法。
【請求項６】
前記オーディオ・ブロックの前記オーディオ・パラメータ及び楽器のうちの１つに応じて、前記オーディオ・ブロックを記憶装置に記憶するステップを含む、請求項１〜５のいずれか一項に記載の方法。
【請求項７】
音楽ジャンル、音楽スタイル及びムード・データのうちの１つまたは複数を含むユーザ嗜好データに応じて、前記オーディオ出力ファイルのためのオーディオ・ブロックを選択するステップを含む、請求項１〜６のいずれか一項に記載の方法。
【請求項８】
前記オーディオ・ブロック選択手段により選択された１つまたは複数のオーディオ・ブロックを保持するように、また、ユーザ嗜好データに応じて、前記オーディオ・ブロック選択手段により選択された前記オーディオ・ブロックのうちの少なくとも１つを、以前に選択されていないオーディオ・ブロックと交換するように、保有モジュールを動作させるステップを含み、
生成された前記オーディオ出力ファイルから、前記オーディオ・ブロック選択手段により選択された１つまたは複数のオーディオ・ブロックを自動的に除去するように、また、前記除去された１つのオーディオ・ブロックまたは複数オーディオ・ブロックと同一のオーディオ・パラメータを有する、前記記憶装置からの１つのオーディオ・ブロックまたは複数のオーディオ・ブロックを、前記オーディオ出力ファイルへ編入するように、シャッフル・モジュールを動作させるステップを含み、
生成された前記オーディオ出力ファイルのオーディオ特性を修正し、リファインし、調整し、変更し、及び／または変化させるように、オーディオ編集及びミキシング・モジュールを動作させるステップを含み、
生成された前記オーディオ出力ファイルにおけるオーディオ・ブロックのオーディオ特性を修正し、リファインし、調整し、変更し、及び／または変化させるように、オーディオ編集及びミキシング・モジュールを動作させるステップを含み、且つ、
オーディオ・トラックのテンポを調整し、及び／またはそのハーモニック・マップをシフトするように、オーディオ編集及びミキシング・モジュールを動作させるステップを含む、請求項１〜７のいずれか一項に記載の方法。
【請求項９】
編入用の外部ソースから前記オーディオ出力ファイルへ、他の楽器演奏及び／または音声をインポートするステップを含む、請求項１〜８のいずれか一項に記載の方法。
【請求項１０】
映像ファイル、静止画ファイル及び／またはテキスト・ファイルと前記オーディオ出力ファイルを同期させるように、オーディオ同期モジュールを動作させるステップを含む、請求項１〜９のいずれか一項に記載の方法。
【請求項１１】
別のオーディオ出力ファイルを生成するのに、オーディオ・トラックとして取り出すために、生成された各オーディオ出力ファイルを記憶装置に記憶するステップを含む、請求項１〜１０のいずれか一項に記載の方法。
【請求項１２】
オーディオ・ブロックを作成するために、オーディオ・トラック及びオーディオ出力ファイルの拡張記憶ライブラリを提供するように、複数の記憶装置をリンクさせるステップを含む、請求項１〜１１のいずれか一項に記載の方法。
【請求項１３】
前記オーディオ出力ファイルの前記オーディオ・ブロックを、それぞれがタイム・スロットを有するオーディオ・ブロック・セグメントに区分するステップであって、同一のオーディオ・ブロックからのオーディオ・ブロック・セグメントは異なるタイム・スロットを有する、ステップと、
同一のタイム・スロットを有するオーディオ・ブロック・セグメントを共に伝送するステップであって、前記同一のタイム・スロットを有するオーディオ・ブロック・セグメントが、実質的に同時にコンピューティング装置で受信される、ステップと、
前記オーディオ出力ファイルの少なくとも１部を形成するように、前記同一のタイム・スロットを有するオーディオ・ブロック・セグメントを前記コンピューティング装置で結合するステップと、及び
前記コンピューティング装置で前記オーディオ出力ファイルを形成するように、前記オーディオ・ファイルの部分を結合するステップと、及び
に従って、生成された前記オーディオ出力ファイルをコンピューティング装置に伝送することを含む、請求項１〜１２のいずれか一項に記載の方法。
【請求項１４】
コンピュータにより実装される、オーディオ出力ファイルを生成するためのシステムであって、前記システムが、請求項１〜１３に記載のステップを実行するために、１つまたは複数のプロセッサ及び１つまたは複数のプロセッサにより実行可能なプログラム命令を備える前記１つまたは複数のメモリを含む、システム。
【請求項１５】
命令を含む非一時的な機械可読の媒体であって、前記命令が、１つまたは複数のプロセッサによって実行される場合には、前記１つまたは複数のプロセッサに、請求項１〜１３のいずれか一項に記載の方法に従って前記ステップを実行させる、前記非一時的な機械可読の媒体。